(57)【要約】【課題】ホログラムを必要としない容易に立体像を再生することができる立体像再生方法および立体像再生装置を提供する。【解決手段】第１の赤外光レーザ１１と第２の赤外光レーザ１２を非線型媒質１３内に照射し、２つのレーザ光の交点Ｘでの非線型媒質１３に非線型分極を生じさせ、第１の赤外光の振動数ω１と第２の赤外光の振動数ω２の和の振動数（ω１＋ω２）の可視光を発生させ、２つのレーザ光の交点Ｘの位置を形成しようとする像の輪郭に沿って残像が残る程度の走査速度で変化させ、第１の赤外光レーザ１１と第２の赤外光レーザ１２のいずれか一方は波長可変レーザであり、第１の赤外光レーザ１１と第２の赤外光レーザ１２のいずれか一方により発振するレーザ光を種々の振動数に変えることにより、和の振動数（ω１＋ω２）を変えることにより可視光の波長を変化させて種々の色の立体像を再生させる。【選択図】  図１
2004341459.tif 000002
【特許請求の範囲】
【請求項１】
第１の赤外光レーザと第２の赤外光レーザを非線型媒質内に照射し、前記第１の赤外光レーザと第２の赤外光レーザのレーザ光の交点での非線型媒質に非線型分極を生じさせ、前記第１の赤外光の振動数ω１と前記第２の赤外光の振動数ω２の和の振動数（ω１＋ω２）の可視光を発生させ、前記第１の赤外光レーザと前記第２の赤外光レーザのレーザ光の交点の位置を形成しようとする像の輪郭に沿って残像が残る程度の走査速度で変化させ、
前記第１の赤外光レーザと前記第２の赤外光レーザのいずれか一方は波長可変レーザであり、前記第１の赤外光レーザと前記第２の赤外光レーザのいずれか一方により発振するレーザ光を種々の振動数に変えることにより、前記和の振動数（ω１＋ω２）を変えることにより可視光の波長を変化させることにより種々の色の立体像を再生させることを特徴とする立体像再生方法。
【請求項２】
紫外光レーザと赤外光レーザを透明物質内に照射し、前記紫外光レーザと前記赤外光レーザのレーザ光の交点における透明物質を構成している原子の電子雲を振動させ、前記紫外光レーザのレーザ光による振動と前記赤外光レーザによるレーザ光による振動の合成振動を前記電子雲に生じさせ、その電子雲の前記合成振動により可視光を発生するようにし、
前記紫外光レーザと前記赤外光レーザのレーザ光の交点の位置を形成しようとする像の輪郭に沿って残像が残る程度の走査速度で変化させることにより立体像を再生させることを特徴とする立体像再生方法。
【請求項３】
前記赤外光レーザは波長可変レーザであり、前記赤外光レーザにより発振するレーザ光を種々の振動数に変えることにより、前記電子雲の前記合成振動により発生する可視光の波長を変化させることにより種々の色の立体像を再生させることを特徴とする請求項２記載の立体像再生方法。
【請求項４】
第１の赤外光レーザと第２の赤外光レーザと、非線型媒質と、前記第１の赤外光レーザの照射方向を変化させる第１のレーザ光偏向手段と、前記第２の赤外光レーザの照射方向を変化させる第２のレーザ光偏向手段と、前記第１の赤外光レーザの発振波長を変化させる第１の発振波長可変手段と、前記第２の赤外光レーザの発振波長を変化させる第２の発振波長可変手段と、前記第１のレーザ光偏向手段と前記第２のレーザ光偏向手段を制御し、前記第１の発振波長可変手段と前記第２の発振波長可変手段を制御する制御手段と、像を形成する位置とその位置での像の色を記憶する記憶手段を有し、
前記記憶手段により記憶される像の色に対応させて、前記制御手段により、前記第１の発振波長可変手段と、前記第２の発振波長可変手段を制御することにより、前記第１の赤外光レーザのレーザ光の振動数ω１を設定し、前記第２の赤外光レーザのレーザ光の振動数ω２を設定し、前記第１の赤外光レーザと前記第２の赤外光レーザを前記非線型媒質内に照射し、前記第１の赤外光レーザと前記第２の赤外光レーザのレーザ光の交点での前記非線型媒質に非線型分極を生じさせ、前記第１の赤外光の振動数ω１と前記第２の赤外光の振動数ω２の和の振動数（ω１＋ω２）の可視光を発生させ、
前記記憶手段により記憶される像を形成する位置に対応させて、前記制御手段により、前記第１のレーザ光偏向手段と、前記第２のレーザ光偏向手段を制御することにより、前記第１の赤外光レーザと前記第２の赤外光レーザのレーザ光の交点の位置を形成しようとする像の輪郭に沿って残像が残る程度の走査速度で変化させることによりフルカラーの立体像を再生させることを特徴とする立体像再生装置。
【請求項５】
紫外光レーザと赤外光レーザと、透明物質と、前記赤外光レーザのレーザ光の発振波長を変化させる赤外光波長可変手段と、前記紫外光レーザの照射方向を変化させる紫外レーザ光偏向手段と、前記赤外光レーザの照射方向を変化させる赤外レーザ光偏向手段と、前記赤外光波長可変手段を制御し、前記紫外レーザ光偏向手段と前記赤外レーザ光偏向手段を制御する制御手段と、像を形成する位置とその位置での像の色を記憶する記憶手段を有し、
前記記憶手段により記憶される像の色に対応させて、前記制御手段により、前記赤外光波長可変手段を制御することにより、前記赤外光レーザのレーザ光の振動数を設定し、
紫外光レーザと赤外光レーザを透明物質内に照射し、前記紫外光レーザと前記赤外光レーザのレーザ光の交点における透明物質を構成している原子の電子雲を振動させ、前記紫外光レーザのレーザ光による振動と前記赤外光レーザによるレーザ光による振動の合成振動を前記電子雲に生じさせ、その電子雲の前記合成振動により可視光を発生するようにし、
前記紫外光レーザと前記赤外光レーザのレーザ光の交点の位置を形成しようとする像の輪郭に沿って残像が残る程度の走査速度で変化させることにより立体像を再生させ、
前記赤外波長可変手段により前記赤外光レーザにより発振するレーザ光を種々の振動数に変えることにより、前記電子雲の前記合成振動により発生する可視光の波長を変化させることにより種々の色の立体像を再生させることを特徴とする立体像再生装置。
【発明の詳細な説明】
【０００１】
【発明の属する技術分野】
本発明は、立体像再生方法および立体像再生装置に関し、特に、２つのレーザにより発せられるレーザ光の交点での物質の原子の電子雲を振動させることにより可視光を生成し、それにより像を形成する立体像再生方法および立体像再生装置に関するものである。
【０００２】
【従来の技術】
従来の立体像再生方法および立体像再生装置はホログラフィーによるものがあった（例えば、特許文献１参照）。
【０００３】
【特許文献１】
特開２００２−８２５９４号公報
【０００４】
【発明が解決しようとする課題】
しかしながら、ホログラフィーによる像の形成は、予めフィルムなどにホログラムを形成しておく必要があった。それゆえ、ホログラムを作製するために時間を要していた。
【０００５】
本発明の目的は、上記問題を解決するため、ホログラムを必要としない容易に立体像を再生することができる立体像再生方法および立体像再生装置を提供することにある。
【０００６】
【課題を解決するための手段および作用】
本発明に係る立体像再生方法および立体像再生装置は、上記の目的を達成するために、次のように構成される。
【０００７】
第１の立体像再生方法（請求項１に対応）は、第１の赤外光レーザと第２の赤外光レーザを非線型媒質内に照射し、第１の赤外光レーザと第２の赤外光レーザのレーザ光の交点での非線型媒質に非線型分極を生じさせ、第１の赤外光の振動数ω１と第２の赤外光の振動数ω２の和の振動数（ω１＋ω２）の可視光を発生させ、第１の赤外光レーザと第２の赤外光レーザのレーザ光の交点の位置を形成しようとする像の輪郭に沿って残像が残る程度の走査速度で変化させ、第１の赤外光レーザと第２の赤外光レーザのいずれか一方は波長可変レーザであり、第１の赤外光レーザと第２の赤外光レーザのいずれか一方により発振するレーザ光を種々の振動数に変えることにより、和の振動数（ω１＋ω２）を変えることにより可視光の波長を変化させることにより種々の色の立体像を再生させることで特徴づけられる。
【０００８】
第１の立体像再生方法によれば、第１の赤外光レーザと第２の赤外光レーザを非線型媒質内に照射し、第１の赤外光レーザと第２の赤外光レーザのレーザ光の交点での非線型媒質に非線型分極を生じさせ、第１の赤外光の振動数ω１と第２の赤外光の振動数ω２の和の振動数（ω１＋ω２）の可視光を発生させ、第１の赤外光レーザと第２の赤外光レーザのレーザ光の交点の位置を形成しようとする像の輪郭に沿って残像が残る程度の走査速度で変化させ、第１の赤外光レーザと第２の赤外光レーザのいずれか一方は波長可変レーザであり、第１の赤外光レーザと第２の赤外光レーザのいずれか一方により発振するレーザ光を種々の振動数に変えることにより、和の振動数（ω１＋ω２）を変えることにより可視光の波長を変化させることにより種々の色の立体像を再生させるため、ホログラムを必要とせずに容易にフルカラーの立体像を再生することができる。
【０００９】
第２の立体像再生方法（請求項２に対応）は、紫外光レーザと赤外光レーザを透明物質内に照射し、紫外光レーザと赤外光レーザのレーザ光の交点における透明物質を構成している原子の電子雲を振動させ、紫外光レーザのレーザ光による振動と赤外光レーザによるレーザ光による振動の合成振動を電子雲に生じさせ、その電子雲の合成振動により可視光を発生するようにし、紫外光レーザと赤外光レーザのレーザ光の交点の位置を形成しようとする像の輪郭に沿って残像が残る程度の走査速度で変化させることにより立体像を再生させることで特徴づけられる。
【００１０】
第２の立体像再生方法によれば、紫外光レーザと赤外光レーザを透明物質内に照射し、紫外光レーザと赤外光レーザのレーザ光の交点における透明物質を構成している原子の電子雲を振動させ、紫外光レーザのレーザ光による振動と赤外光レーザによるレーザ光による振動の合成振動を電子雲に生じさせ、その電子雲の合成振動により可視光を発生するようにし、紫外光レーザと赤外光レーザのレーザ光の交点の位置を形成しようとする像の輪郭に沿って残像が残る程度の走査速度で変化させることにより立体像を再生させるため、ホログラムを必要とせずに容易に立体像を再生することができる。
【００１１】
第３の立体像再生方法（請求項３に対応）は、上記の方法において、好ましくは、赤外光レーザは波長可変レーザであり、赤外光レーザにより発振するレーザ光を種々の振動数に変えることにより、電子雲の合成振動により発生する可視光の波長を変化させることにより種々の色の立体像を再生させることで特徴づけられる。
【００１２】
第３の立体像再生方法によれば、赤外光レーザは波長可変レーザであり、赤外光レーザにより発振するレーザ光を種々の振動数に変えることにより、電子雲の合成振動により発生する可視光の波長を変化させることにより種々の色の立体像を再生させるため、ホログラムを必要とせずに容易にフルカラーの立体像を再生することができる。
【００１３】
第１の立体像再生装置（請求項４に対応）は、第１の赤外光レーザと第２の赤外光レーザと、非線型媒質と、第１の赤外光レーザの照射方向を変化させる第１のレーザ光偏向手段と、第２の赤外光レーザの照射方向を変化させる第２のレーザ光偏向手段と、第１の赤外光レーザの発振波長を変化させる第１の発振波長可変手段と、第２の赤外光レーザの発振波長を変化させる第２の発振波長可変手段と、第１のレーザ光偏向手段と第２のレーザ光偏向手段を制御し、第１の発振波長可変手段と第２の発振波長可変手段を制御する制御手段と、像を形成する位置とその位置での像の色を記憶する記憶手段を有し、記憶手段により記憶される像の色に対応させて、制御手段により、第１の発振波長可変手段と、第２の発振波長可変手段を制御することにより、第１の赤外光レーザのレーザ光の振動数ω１を設定し、第２の赤外光レーザのレーザ光の振動数ω２を設定し、第１の赤外光レーザと第２の赤外光レーザを非線型媒質内に照射し、第１の赤外光レーザと第２の赤外光レーザのレーザ光の交点での非線型媒質に非線型分極を生じさせ、第１の赤外光の振動数ω１と第２の赤外光の振動数ω２の和の振動数（ω１＋ω２）の可視光を発生させ、記憶手段により記憶される像を形成する位置に対応させて、制御手段により、第１のレーザ光偏向手段と、第２のレーザ光偏向手段を制御することにより、第１の赤外光レーザと第２の赤外光レーザのレーザ光の交点の位置を形成しようとする像の輪郭に沿って残像が残る程度の走査速度で変化させることによりフルカラーの立体像を再生させることで特徴づけられる。
【００１４】
第１の立体像再生装置によれば、第１の赤外光レーザと第２の赤外光レーザと、非線型媒質と、第１の赤外光レーザの照射方向を変化させる第１のレーザ光偏向手段と、第２の赤外光レーザの照射方向を変化させる第２のレーザ光偏向手段と、第１の赤外光レーザの発振波長を変化させる第１の発振波長可変手段と、第２の赤外光レーザの発振波長を変化させる第２の発振波長可変手段と、第１のレーザ光偏向手段と第２のレーザ光偏向手段を制御し、第１の発振波長可変手段と第２の発振波長可変手段を制御する制御手段と、像を形成する位置とその位置での像の色を記憶する記憶手段を有し、記憶手段により記憶される像の色に対応させて、制御手段により、第１の発振波長可変手段と、第２の発振波長可変手段を制御することにより、第１の赤外光レーザのレーザ光の振動数ω１を設定し、第２の赤外光レーザのレーザ光の振動数ω２を設定し、第１の赤外光レーザと第２の赤外光レーザを非線型媒質内に照射し、第１の赤外光レーザと第２の赤外光レーザのレーザ光の交点での非線型媒質に非線型分極を生じさせ、第１の赤外光の振動数ω１と第２の赤外光の振動数ω２の和の振動数（ω１＋ω２）の可視光を発生させ、記憶手段により記憶される像を形成する位置に対応させて、制御手段により、第１のレーザ光偏向手段と、第２のレーザ光偏向手段を制御することにより、第１の赤外光レーザと第２の赤外光レーザのレーザ光の交点の位置を形成しようとする像の輪郭に沿って残像が残る程度の走査速度で変化させることによりフルカラーの立体像を再生させるため、ホログラムを必要とせず、容易にフルカラーの立体像を再生することができる。
【００１５】
第２の立体像再生装置（請求項５に対応）は、紫外光レーザと赤外光レーザと、透明物質と、赤外光レーザのレーザ光の発振波長を変化させる赤外光波長可変手段と、紫外光レーザの照射方向を変化させる紫外レーザ光偏向手段と、赤外光レーザの照射方向を変化させる赤外レーザ光偏向手段と、赤外光波長可変手段を制御し、紫外レーザ光偏向手段と赤外レーザ光偏向手段を制御する制御手段と、像を形成する位置とその位置での像の色を記憶する記憶手段を有し、記憶手段により記憶される像の色に対応させて、制御手段により、赤外光波長可変手段を制御することにより、赤外光レーザのレーザ光の振動数を設定し、紫外光レーザと赤外光レーザを透明物質内に照射し、紫外光レーザと赤外光レーザのレーザ光の交点における透明物質を構成している原子の電子雲を振動させ、紫外光レーザのレーザ光による振動と赤外光レーザによるレーザ光による振動の合成振動を電子雲に生じさせ、その電子雲の合成振動により可視光を発生するようにし、紫外光レーザと赤外光レーザのレーザ光の交点の位置を形成しようとする像の輪郭に沿って残像が残る程度の走査速度で変化させることにより立体像を再生させ、赤外波長可変手段により赤外光レーザにより発振するレーザ光を種々の振動数に変えることにより、電子雲の合成振動により発生する可視光の波長を変化させることにより種々の色の立体像を再生させることで特徴づけられる。
【００１６】
第２の立体像再生装置によれば、紫外光レーザと赤外光レーザと、透明物質と、赤外光レーザのレーザ光の発振波長を変化させる赤外光波長可変手段と、紫外光レーザの照射方向を変化させる紫外レーザ光偏向手段と、赤外光レーザの照射方向を変化させる赤外レーザ光偏向手段と、赤外光波長可変手段を制御し、紫外レーザ光偏向手段と赤外レーザ光偏向手段を制御する制御手段と、像を形成する位置とその位置での像の色を記憶する記憶手段を有し、記憶手段により記憶される像の色に対応させて、制御手段により、赤外光波長可変手段を制御することにより、赤外光レーザのレーザ光の振動数を設定し、紫外光レーザと赤外光レーザを透明物質内に照射し、紫外光レーザと赤外光レーザのレーザ光の交点における透明物質を構成している原子の電子雲を振動させ、紫外光レーザのレーザ光による振動と赤外光レーザによるレーザ光による振動の合成振動を電子雲に生じさせ、その電子雲の合成振動により可視光を発生するようにし、紫外光レーザと赤外光レーザのレーザ光の交点の位置を形成しようとする像の輪郭に沿って残像が残る程度の走査速度で変化させることにより立体像を再生させ、赤外波長可変手段により赤外光レーザにより発振するレーザ光を種々の振動数に変えることにより、電子雲の合成振動により発生する可視光の波長を変化させることにより種々の色の立体像を再生させるため、ホログラムを必要とせず、容易にフルカラーの立体像を再生することができる。
【００１７】
【発明の実施の形態】
以下、本発明の好適な実施形態を添付図面に基づいて説明する。
【００１８】
図１は、本発明の第１の実施形態に係る立体像再生装置を示す斜視図である。図１に示すように、立体像再生装置１０は、第１の赤外光レーザ１１と第２の赤外光レーザ１２と、非線型媒質１３と、第１の赤外光レーザ１１の照射方向を変化させる第１のレーザ光偏向装置１４と、第２の赤外光レーザ１２の照射方向を変化させる第２のレーザ光偏向装置１５と、第１のレーザ光偏向装置１４と第２のレーザ光偏向装置１５を制御する制御装置１６と、像を形成する位置を記憶する記憶装置１７から構成される。また、第１の赤外光レーザ１１には、レーザ光の発振波長を変化させる第１の発振波長可変装置１８が備えられ、第２の赤外光レーザ１２には、レーザ光の発振波長を変化させる第２の発振波長可変装置１９が備えられている。
【００１９】
第１の赤外光レーザ１１は、振動数ω１の振動数を有する赤外レーザ光を発する装置である。第２の赤外光レーザ１２は、振動数ω２の振動数を有する赤外レーザ光を発する装置である。これらの振動数ω１とω２の和の振動数ω１＋ω２は可視域の光の振動数となるように選ぶ。また、ω１とω２は同じ振動数にしても良い。非線型媒質１３は、ＬｉＮｂＯ３やＫＤＰなどを用い、また、レーザ光強度を強くすることによりガラスなどの非晶質でもよく、赤外光と可視光を透過するものであればよい。第１のレーザ光偏向装置１４は、第１の赤外レーザのレーザ光の照射方向を変化させる装置である。第２のレーザ光偏向装置１５は、第２の赤外光レーザ１２の照射方向を変化させる装置である。第１の発振波長可変装置１８は、第１の赤外光レーザの発振波長を変化させる装置であり、第２の発振波長可変装置１９は、第２の赤外光レーザの発振波長を変化させる装置である。制御装置１６は、第１のレーザ光偏向装置１４と第２のレーザ光偏向装置１５を制御し、また、第１の発振波長可変装置１８と第２の発振波長可変装置１９を制御する。記憶装置１７は、像の色と像を形成する位置を記憶する。
【００２０】
次に、本発明に係る立体像再生装置１０の動作について図１と図２を用いて説明する。第１の赤外光の振動数ω１と第２の赤外光の振動数ω２の和の振動数（ω１＋ω２）の可視光が記憶装置１７に記憶された像の色に対応するように、制御装置１６により、第１の発振波長可変装置１８と第２の発振波長可変装置１９を制御し、第１の赤外光レーザ１１の赤外光の振動数ω１と、第２の赤外光のレーザ１２の赤外光の振動数ω２を設定する。次に、第１の赤外光レーザ１１と第２の赤外光レーザ１２を非線型媒質１３内に照射し、第１の赤外光レーザ１１と第２の赤外光レーザ１２のレーザ光の交点Ｘでの非線型媒質に非線型分極Ｐを生じさせ、第１の赤外光の振動数ω１と第２の赤外光の振動数ω２の和の振動数（ω１＋ω２）の可視光を発生させ、記憶装置１７により記憶される像を形成する位置に対応させて、制御装置１６により、第１のレーザ光偏向装置１４と、第２のレーザ光偏向装置１５を制御することにより、第１の赤外光レーザ１１と第２の赤外光レーザ１２のレーザ光の交点Ｘの位置を形成しようとする像の輪郭に沿って残像が残る程度の走査速度で変化させる。これにより立体像ＩＭを再生させる。それゆえ、ホログラムを必要とせず、容易に立体像を再生することができる。
【００２１】
以上のようにして、立体像を再生することができる。なお、レーザ光の交点Ｘの位置を変える毎に第１の赤外光の振動数ω１と第２の赤外光の振動数ω２の和の振動数（ω１＋ω２）の可視光が記憶装置１７に記憶された像の色に対応するように、制御装置１６により、第１の発振波長可変装置１８と第２の発振波長可変装置１９を制御し、第１の赤外光レーザ１１の赤外光の振動数ω１と、第２の赤外光のレーザ１２の赤外光の振動数ω２を設定することにより、フルカラーの立体像を形成することができる。
【００２２】
図３は、本発明の第２の実施形態に係る立体像再生装置を示す斜視図である。図３に示すように、立体像再生装置２０は、紫外光レーザ２１と赤外光レーザ２２と、透明物質２３と、赤外光レーザの発振波長を変化させる赤外光発振波長可変装置２８と、紫外光レーザ２１の照射方向を変化させる紫外レーザ光偏向装置２４と、赤外光レーザ２２の照射方向を変化させる赤外レーザ光偏向装置２５と、赤外光発振波長可変装置２８と紫外レーザ光偏向装置２４と赤外レーザ光偏向装置２５を制御する制御装置２６と、像の色と像を形成する位置を記憶する記憶装置２７から構成される。
【００２３】
紫外光レーザ２１は、振動数ω１の振動数を有する紫外レーザ光を発する装置である。赤外光レーザ２２は、振動数ω２の振動数を有する赤外レーザ光を発する装置である。これらの振動数ω１とω２の平均の振動数（ω１＋ω２）／２は可視域の光の振動数となるように選ぶ。透明物質２３は、ガラスなどの非晶質でも他の透明な結晶体でもよく、赤外光と所定の紫外光と可視光を透過するものであればよい。赤外光発振波長可変装置２８は、赤外光レーザ２２の発振波長を変化させる装置である。紫外レーザ光偏向装置２４は、紫外光レーザのレーザ光の照射方向を変化させる装置である。赤外レーザ光偏向装置２５は、赤外光レーザ２２の照射方向を変化させる装置である。制御装置２６は、赤外光発振波長可変装置２８を制御し、また、紫外レーザ光偏向装置２４と赤外レーザ光偏向装置２５を制御する。記憶装置２７は、像の色と像を形成する位置を記憶する。
【００２４】
次に、本発明に係る立体像再生装置２０の動作について図３と図４を用いて説明する。紫外光の振動数ω１と赤外光の振動数ω２の平均の振動数（ω１＋ω２）／２の可視光が記憶装置１７に記憶された像の色に対応するように、制御装置２６により、赤外光発振波長可変装置２８を制御し、赤外光のレーザ２２の赤外光の振動数ω２を設定する。紫外光レーザ２１と赤外光レーザ２２を透明物質２３内に照射し、紫外光レーザ２１と赤外光レーザ２２のレーザ光の交点Ｘにおける透明物質を構成している原子Ａの電子雲ＥＣを振動させ、紫外光による振動（振動数ω１）と赤外光による振動（振動数ω２）の合成振動を電子雲に生じさせ、その電子雲の合成振動により生ずる平均の振動数（ω１＋ω２）／２の振動成分による可視光を発生させ、記憶装置２７により記憶される像を形成する位置に対応させて、制御装置２６により、紫外レーザ光偏向装置２４と、赤外レーザ光偏向装置２５を制御することにより、紫外光レーザ２１と赤外光レーザ２２のレーザ光の交点Ｘの位置を形成しようとする像の輪郭に沿って残像が残る程度の走査速度で変化させる。これにより立体像ＩＭを再生させる。それゆえ、ホログラムを必要とせず、容易に立体像を再生することができる。
【００２５】
以上のようにして、立体像を再生することができる。なお、レーザ光の交点Ｘの位置を変える毎に紫外光の振動数ω１と赤外光の振動数ω２の平均の振動数（ω１＋ω２）／２の可視光が記憶装置２７に記憶された像の色に対応するように、制御装置２６により、赤外光発振波長可変装置２８を制御し、赤外光のレーザ１２の赤外光の振動数ω２を設定することにより、フルカラーの立体像を形成することができる。また、本実施形態では、像を物質内に形成するようにしたが、光強度の大きなレーザを用いることにより物質内ではなく、物質のない空間に像を再生することができるかもしれない。
【００２６】
【発明の効果】
以上の説明で明らかなように本発明によれば、次の効果を奏する。
【００２７】
第１の赤外光レーザと第２の赤外光レーザと、非線型媒質と、第１の赤外光レーザの照射方向を変化させる第１のレーザ光偏向装置と、第２の赤外光レーザの照射方向を変化させる第２のレーザ光偏向装置と、第１の赤外光レーザの発振波長を変化させる第１の発振波長可変装置と、第２の赤外光レーザの発振波長を変化させる第２の発振波長可変装置と、第１のレーザ光偏向装置と第２のレーザ光偏向装置を制御し、第１の発振波長可変装置と第２の発振波長可変装置を制御する制御装置と、像を形成する位置とその位置での像の色を記憶する記憶装置を有し、記憶装置により記憶される像の色に対応させて、制御装置により、第１の発振波長可変装置と、第２の発振波長可変装置を制御することにより、第１の赤外光レーザのレーザ光の振動数ω１を設定し、第２の赤外光レーザのレーザ光の振動数ω２を設定し、第１の赤外光レーザと第２の赤外光レーザを非線型媒質内に照射し、第１の赤外光レーザと第２の赤外光レーザのレーザ光の交点での非線型媒質に非線型分極を生じさせ、第１の赤外光の振動数ω１と第２の赤外光の振動数ω２の和の振動数（ω１＋ω２）の可視光を発生させ、記憶装置により記憶される像を形成する位置に対応させて、制御装置により、第１のレーザ光偏向手段と、第２のレーザ光偏向装置を制御することにより、第１の赤外光レーザと第２の赤外光レーザのレーザ光の交点の位置を形成しようとする像の輪郭に沿って残像が残る程度の走査速度で変化させることによりフルカラーの立体像を再生させるため、ホログラムを必要とせず、容易にフルカラーの立体像を再生することができる。
【００２８】
また、紫外光レーザと赤外光レーザと、透明物質と、赤外光レーザのレーザ光の発振波長を変化させる赤外光波長可変装置と、紫外光レーザの照射方向を変化させる紫外レーザ光偏向装置と、赤外光レーザの照射方向を変化させる赤外レーザ光偏向装置と、赤外光波長可変装置を制御し、紫外レーザ光偏向装置と赤外レーザ光偏向装置を制御する制御装置と、像を形成する位置とその位置での像の色を記憶する記憶装置を有し、記憶装置により記憶される像の色に対応させて、制御装置により、赤外光波長可変装置を制御することにより、赤外光レーザのレーザ光の振動数を設定し、紫外光レーザと赤外光レーザを透明物質内に照射し、紫外光レーザと赤外光レーザのレーザ光の交点における透明物質を構成している原子の電子雲を振動させ、紫外光レーザのレーザ光による振動と赤外光レーザによるレーザ光による振動の合成振動を電子雲に生じさせ、その電子雲の合成振動により可視光を発生するようにし、紫外光レーザと赤外光レーザのレーザ光の交点の位置を形成しようとする像の輪郭に沿って残像が残る程度の走査速度で変化させることにより立体像を再生させ、赤外波長可変装置により赤外光レーザにより発振するレーザ光を種々の振動数に変えることにより、電子雲の合成振動により発生する可視光の波長を変化させることにより種々の色の立体像を再生させるため、ホログラムを必要とせず、容易にフルカラーの立体像を再生することができる。
【図面の簡単な説明】
【図１】本発明の第１の実施形態に係る立体像再生装置を示す斜視図である。
【図２】本発明の第１の実施形態に係る立体像再生の原理を示す模式図である。
【図３】本発明の第２の実施形態に係る立体像再生装置を示す斜視図である。
【図４】本発明の第２の実施形態に係る立体像再生の原理を示す模式図である。
【符号の説明】
１０          立体像再生装置
１１          第１の赤外光レーザ
１２          第２の赤外光レーザ
１３          非線型媒質
１４          第１のレーザ光偏向装置
１５          第２のレーザ光偏向装置
１６          制御装置
１７          記憶装置
１８          第１の発振波長可変装置
１９          第２の発振波長可変装置
【図１】
2004341459.tif 000003
【図２】
2004341459.tif 000004
【図３】
2004341459.tif 000005
【図４】
2004341459.tif 000006